(57)【要約】【課題】突っ張り組体（脚部）を床面上に旋回させるためのスペースを不要とでき、スポット溶接ガンを用いた作業を行う際には、作業の邪魔となる恐れもなく、転倒防止性能を確保できる溶接機用台車装置の提供。【解決手段】溶接ガン本体を載置するための基部と、該基部に設けられる移動手段と、前記基部に設置され伸縮可能となる脚部とを備え、前記基部は、溶接ガン本体の転倒を防止する保持体を備え、前記脚部が伸長状態において接地し、短縮状態において接地しない構成としたことを特徴とするポータブルスポット溶接ガン用台車装置を、解決手段とする。【選択図】図１
2015058460.tif 000002
【特許請求の範囲】
【請求項１】
溶接ガン本体を載置固定するための基部と、該基部に設けられる移動手段と、前記基部に設置され少なくとも左右斜め下方、後下方若しく斜め後下方のいずれかに向けて伸長する伸縮可能な脚部とを備え、前記基部は、溶接ガン本体の転倒を防止する保持体を備え、前記脚部が伸長状態において接地し、短縮状態において接地しない構成としたことを特徴とするポータブルスポット溶接ガン用台車装置。
【請求項２】
前記脚部は、少なくとも異径の筒状体を相互にスライド可能とし、外側の筒状体と内側の筒状体とが相対的に伸縮方向に連続するガイド構造を備えることを特徴とする請求項１記載のポータブルスポット溶接ガン用台車装置。
【発明の詳細な説明】
【技術分野】
【０００１】
本発明は、主としてポータブルスポット溶接機等の抵抗溶接機を移動、設置を可能とする台車装置（以下、溶接機用台車装置）に関するものである。
【背景技術】
【０００２】
従来、ポータブルスポット溶接機は作業現場等において使用されている。これらの装置は主として上部に吊り具やアーム等を介して重量物である溶接ガン本体が接続されている。
作業者は溶接ガン本体を手動操作して、目的対象物のスポット溶接を行う。
【０００３】
ところが、作業者が当該溶接ガン本体を大きく左右へ動かした際に、ポータブルスポット溶接機が重量バランスを損ない、当該ポータブルスポット溶接機の横倒れが発生する不具合が指摘されていた。
【０００４】
このような事情から本出願人は、先に特定の横倒れ防止構造を備えたスポット溶接機として、メインポールとこれにメインスイングアームの基端部を支持し先端部に直接又は水平スイングアームを介してスポット溶接ガンを懸吊するようにした、上下及び左右に揺動するクレーン形懸吊手段を、移動手段に架設した溶接機本体の前方にスポット溶接ガンが縣吊されるようにメインポールを支持させ、また溶接機本体には、その上端部両側に支持された給電ケーブル用ハンガーを、また溶接機本体の下端部両側に支持されて前記移動手段と接地を同一とした前方支持脚)を、それぞれ前方へ張出した状態で設けるとともに、溶接機本体の左右側面には横転防止手段を具備させ、該溶接機本体の左右側面に設ける横転防止手段は、溶接機本体の上端部に側面と平行して支持固定した水平軸と、該水平軸に回動自在に支持結合されて脚孔を操作レバーによって拡縮するようにした脚上部支持部材と、溶接機本体の下端部側面に支持する、前記水平軸と平行となる回動水平軸部の一端部を側面直角方向へ屈曲して揺動腕部を形成した脚下部リンク部材と、上端部が前記脚上部支持部材の脚孔に通り且つ下端部を前記脚下部リンク部材の水平状態における揺動腕部に枢着して下端が接地する長さの杖脚とからなり、前記操作レバーの操作によって、杖脚の先端が接地状態にクランプし、該クランプを解除して杖脚を上方へ引上げ固定することで格納状態とする構成としたことを特徴とするポータブルスポット溶接装置（例えば、特許文献１参照。）を提供するに至っている。
【先行技術文献】
【特許文献】
【０００５】
【特許文献１】特開２００２−２３９７４７号公報
【発明の概要】
【発明が解決しようとする課題】
【０００６】
当該特許文献１に係るスポット溶接機は、格納及び張出しが可能な横転防止手段を備えることによって横倒れの防止を実現したスポット溶接機である。また、当該特許文献１に係る従来技術と比較して、突っ張り組体（脚部）を床面上に旋回させるためのスペースを不要とできる点においても優れたものであった。
【０００７】
しかし一方で、上記スポット溶接装置によれば、前方支持脚を前方へ突出させる構成であることから、スポット溶接ガンを用いた作業を行う際には、作業の邪魔となる可能性があった。また、突っ張り組体（脚部）を張り出すための空間を削減したことによって、地面に対する脚部の傾斜を大きくする必要が生じ、全体としての重心位置が高く、転倒防止に対する性能には劣るとも考えられる。
【０００８】
本発明は以上の事情に鑑みてなされたものであり、突っ張り組体（脚部）を床面上に旋回させるためのスペースを不要とできることは勿論、スポット溶接ガンを用いた作業を行う際には、作業の邪魔となる虞もなく、また、装置を低重心として十分な転倒防止性能を確保できる優れた溶接機用台車装置を、発明が解決しようとする課題とする。
【課題を解決するための手段】
【０００９】
溶接ガン本体を載置するための基部と、該基部に設けられる移動手段と、前記基部に設置され少なくとも左右斜め下方、後下方若しく斜め後下方のいずれかに向けて伸長する伸縮可能な脚部とを備え、前記基部は、溶接ガン本体の転倒を防止する保持体を備え、前記脚部が伸長状態において接地し、短縮状態において接地しない構成としたことを特徴とするポータブルスポット溶接機用台車装置を、課題を解決するための手段とする。
【００１０】
また本発明は、上記ポータブルスポット溶接ガン用移動装置を前提として、前記脚部は、少なくとも異径の筒状体を相互にスライド可能とし、外側の筒状体と内側の筒状体とが相対的に伸縮方向に連続するガイド構造を備えることを特徴とするポータブルスポット溶接ガン用台車装置を、課題を解決するための手段とする。
【発明の効果】
【００１１】
本発明によれば、作業者が作業を行う装置の前方側を除いた範囲に脚部が設置されることで作業性が向上することに加えて、溶接ガン本体を載置する基部と、該基部よりも下方に伸縮可能な脚部を備えた構成としたことによって、低重心のポータブルスポット溶接ガン用台車装置とし、これに溶接機本体を固定することで、従来よりも飛躍的に転倒防止性能を向上させることができる。
また、地面に沿って低く脚部を伸長できるため、作業者による通行や作業等の妨げとなり難い点においても優れている。
【００１２】
そして、当該構成によれば、周囲の障害物を避けながら脚部を伸長して設置することができるため、周囲に多くの障害物がある場合であっても、隙間となる空間に脚部を差し込むように設置することができることから、従来のような脚部の旋回のための空間を確保する必要がなく、より周囲の状況に対する設置の適応性能を高めることができる。
【００１３】
また請求項２に係る発明においては、上記発明の構成を備えた上で、前記脚部は、少なくとも異径の筒状体を相互に摺動可能とし、外側の筒状体と内側の筒状体とが相対的に伸縮方向に連続するガイド構造を備えることから、外側の筒状体と内側の筒状体とが相対的に周方向へ回転することを防止し、脚部の接地安定性を高め、上記発明の効果に資することができる。
【図面の簡単な説明】
【００１４】
【図１】本発明の実施例に係るポータブルスポット溶接ガン用台車装置（固定部省略）の伸縮脚を収納した状態を示す斜視図である。
【図２】本発明の実施例に係るポータブルスポット溶接ガン用台車装置（固定部省略）の伸縮脚を伸長した状態を示す斜視図である。
【図３】本発明の実施例に係るポータブルスポット溶接ガン用台車装置の伸縮部を示す（ａ）組立前の斜視図、（ｂ）組立後の斜視図である。
【図４】本発明の実施例に係るポータブルスポット溶接ガン用台車装置に溶接機本体を載置固定した状態を示す斜視図である。
【図５】本発明の実施例に係るポータブルスポット溶接ガン用台車装置における伸縮脚と基部との取付構造を示す一部省略拡大断面図である。
【図６】本発明の実施例に係るポータブルスポット溶接ガン用台車装置の伸縮部と基部との取付構造を示す一部断面とした説明図である。
【発明を実施するための形態】
【００１５】
本発明は、溶接ガン本体を載置固定するための基部と、該基部に設けられる移動手段と、前記基部に設置され少なくとも左右斜め下方、後下方若しく斜め後下方のいずれかに向けて伸長する伸縮可能な脚部とを備え、前記基部は、溶接ガン本体の転倒を防止する保持体を備えることによって、作業者が作業を行う装置の前方側を除いた範囲に脚部が設置されることで作業性が向上するとともに、飛躍的に転倒防止性能を向上させることができ、更に、前記脚部は、少なくとも異径の筒状体を相互にスライド可能とし、外側の筒状体と内側の筒状体とが相対的に伸縮方向に連続するガイド構造を備えることを特徴とするポータブルスポット溶接ガン用台車装置を実現した。
本発明の実施例に係るポータブルスポット溶接ガン用台車装置の各構成について以下に説明する。尚、本発明は、以下の実施例に限定されるものではない。
【実施例】
【００１６】
本発明の実施例に係るポータブルスポット溶接ガン用台車装置１（以下、台車装置）は、図１から図６に示すように、平面視概ね矩形となる平板状の基部２と、伸縮機能を有する４本の脚部３と、移動手段である車輪４（前輪４０、後輪４１）とを備えている。
【００１７】
本実施例における台車装置における基部２は、幅５６ｃｍ程度、奥行７０ｃｍ程度、厚さ１０ｃｍ程度の大きさを有するものである。夫々厚さ３ｍｍ程度の鋼板からなる正面板２０、背面板２１、左右の側板２２、並びに天板２３を備え、さらに正面板２０、背面板２１及び左右の側板２２には、夫々下端を内側へ概ね９０°曲折した補強板２４を形成した構成である。前記左右の側板２２は、伸縮脚を通すための伸縮脚通し穴５を備えている。また、前記天板２３には、脚部３の取付に使用するための天板取付穴２３ａ、２３ｂを備えている。更に、本実施例においては、前記天板２３上に、溶接機本体６を固定するための固定部２５を備えた構成としている。本実施例においては、図４に示すように、くの字形状の固定金具としている。
【００１８】
また、対向する左右の側板２２を図示しない車軸が連通しており車軸の端部に、前輪４０及び後輪４１が固着されている。後輪４１は汎用品である小径のキャスタを用いてある。キャスタは取付軸を中心として回転する構造であるので、左右への方向転換を容易としている。また、前輪４０は後輪４１よりも大径としてある。前方には伸縮脚３を設けずに、大型の前輪４０を用いて前方への転倒を防止するためである。
【００１９】
そして、前記基部２における前記天板２３の下には、４本の前記伸縮脚３が配置固定されている。当該伸縮脚３はポータブルスポット溶接ガン１を移動させる際には短縮させ、当該ポータブルスポット溶接ガン１を用いる際には、伸長接地させるものである。図１及び図２に示すように、概ね左側方、右側方へ夫々一本ずつ伸長できるように配置し、また概ね左右斜め後方に対して夫々一本ずつ伸縮できるように配置している。これらの伸縮脚３は、いずれも設置させるために基端３ａ側を上方、先端３ｂ側を下方として傾斜して配置される。
【００２０】
本実施例における伸縮脚３は、図３、図５に示すように、主として外側筒状体３０と該外側筒状体３０内に摺動し出入可能な内側筒状体３１の二本の異径の筒状体と、当該伸縮脚３のロック手段３６と、前記基部２への取付手段とを有する。
【００２１】
外側筒状体３０には長手方向に連続する長穴状の切欠３３が形成されている。
また、その基端近傍及び先端近傍の夫々に、脚取付部を備えている。
【００２２】
先端近傍の脚取付部は、ロック手段３６として、伸縮脚３の伸縮ロック機能を備えたものであり、基部２に対して貫通穴を形成し、当該貫通穴の周縁に対して、アダプタを溶接により固着した構造である。アダプタは、基部に対して当該外側用筒体３０を傾斜して取付可能とするためのものであり、開口部の一端側（溶接側）を傾斜面とした雌螺子体である。当該構成によって前記貫通穴と雌螺子体の雌螺子穴とが連続する構成となる。
【００２３】
基端近傍の脚取付部は、外側筒状体３０に貫通穴のみを形成した構成としている。
【００２４】
伸縮脚３の基端側においては、天板２３に形成した天板取付穴２３ａの上からボルト（雄螺子）３８を通し、外側筒状体３０の貫通穴（脚取付部）を貫通し、外側筒状体３０内においてナットと螺合し固着する構成である。伸縮脚３の基端側を基部２に対して完全に固着することで、脚部３の不慮の脱落を防止することができる。
【００２５】
伸縮脚の先端側においては、天板２３に形成した天板取付穴２３ｂの上から、伸縮脚のロック手段となる摘み付きのボルトを通し、外側筒状体３０のアダプタの雌螺子に螺合する。
【００２６】
内側筒状体３１は外側筒状体３０内に対してスライド可能に設けられる筒状体であり、その基端側に前記外側筒状体３０の切欠３３の横幅よりも僅かに小さい直径を有する突起３５を備えている。また内側筒状体３１の先端には、先端グリップ３２を取着している。伸縮脚の床面に対する摩擦抵抗を高め、不慮の滑りを防止するものである。
【００２７】
当該外側筒状体３０の切欠３３内において内側筒状体３１の突起３５が案内され、相対的な伸縮動作において、切欠３３に沿って突起３５が移動し、外側筒状体３０に対する内側筒状体３１の周方向への不用意な回転が規制されるガイド構造を実現し、伸縮脚３が接地した際に、安定的な支持を確保する。
【００２８】
以上の構成によって、４本の伸縮脚３は、不使用時においては、前記伸縮脚３を短縮状態とし、ロック手段３６でロックすることによって、当該伸縮脚３を基部２内に収納することができる。また、使用時には、前記左右の側板２２に設けた伸縮穴通し穴５から当該伸縮脚３を取り出し伸長させ、ロック手段３６でロックするだけで、非常に安定した設置を可能とすることができる。
【００２９】
そして伸縮脚３は、基部２よりも下方をから小さな傾斜角度で伸長されるため、全体としての重心を低く抑えることができ、ポータブルスポット溶接ガンを上下左右へ大きく動かしても、非常に良好な安定感を得ることができる。
【００３０】
また作業者がスポット溶接作業を行う際には、当該ポータブルスポット溶接ガン用台車装置１の前方に対して伸縮脚３は配置されないため、作業性を良好に保つことができる。
【００３１】
尚、上記実施例において固定部２５は、くの字形状の固定金具としているが、本発明における固定部２５は、当該形状に限定されるものではなく、例えば、溶接機本体の形状に応じて係止できる形状を天板に形成してもよいし、天板２３のみならず左右の側板２２に固定金具等を取付るものであってもよいし、種々の公知の固定構造、係止構造等を使用することができる。
即ち、固定部２５に関しては、溶接ガン本体６が意に反して外れない構造が保たれていればよい趣旨である。
【００３２】
また、上記実施例においては、基部２に対する伸縮脚３の取付は、ボルト３８によって天板２３の取付穴と前記伸縮脚３の外側筒状体３０における取付穴とを連通して図示されないナットで固定する構造としているが、本発明は上記実施例に限定されるものではなく、基部２に対する伸縮脚３の取付は、適宜種々の公知手段を利用して行うことができる。また、伸縮脚３は、基部２に対する取付のための手段を備えるものとすることができる。
【００３３】
また基部２の大きさや形状については特に限定するものではなく、溶接機本体の形状、重量、当該ポータブルスポット溶接ガン用台車装置１の使用場所等、種々の条件に応じた大きさや形状とすることができる。
【００３４】
また伸縮脚３は、上記実施例に限定されるものではなく、例えば、本実施例においては伸縮脚３は外側筒状体３０と内側筒状体３１の二本の筒状体が相対的にスライドするものとしているが、本発明においては当該構成に限定されるものではなく、例えば、３本以上の筒状体が相互にスライドする構成とすることもできる。
【００３５】
また伸縮脚３は、相互のスライド速度を制御するための種々の手段、例えば、ばね等の弾性体や油圧・空圧機器類等を用いることができる。
【００３６】
また車輪４は、上記実施例において前輪４０と後輪４１の径サイズを異なるものとしたが、本発明は当該構成に限定するものではなく、前輪４０、後輪４１のすべてが同一の径サイズとすることもできる。また、ポータブルスポット溶接ガン用台車装置１の移動や方向の変更を容易とすることが確保される限りにおいて、車輪の数量、配置、サイズ（径サイズ、幅）等に制限されるものではないし、車輪に代わる公知の種々の移動手段を用いることができる。
【００３７】
また、ロック手段３６は、本実施例においては摘み付きボルトの先端で内側筒状体の側面を押圧する構成であるが、本発明においては当該構成に限らず、種々の公知手段を参照して設計事項の範囲内において適宜構成することができる。例えば、内側筒状体３１に貫通穴を開けておき、摘み付きボルトの先端が当該貫通穴内に嵌合する構成等とすることもできるし、摘み付きボルトに代えて、進退可能な突起等によって内側筒状体３１を押圧したり、係合させたりすることもできる。
【符号の説明】
【００３８】
１          ポータブルスポット溶接ガン用移動装置（移動装置）
２          基部
２０        正面板
２１        背面板
２２        側板
２３        天板
２３ａ      天板取付穴
２３ｂ      天板取付穴
２４        補強板
２５        固定部
３          伸縮脚
３ａ        基端
３ｂ        先端
３０        外側筒状体
３１        内側筒状体
３２        先端グリップ
３３        切欠
３５        突起
３６        ロック手段
３７        アダプタ
３８        ボルト
４          車輪
４０        前輪
４１        後輪
５          伸縮脚通し穴
６          溶接機本体
【図１】
2015058460.tif 000003
【図２】
2015058460.tif 000004
【図３】
2015058460.tif 000005
【図４】
2015058460.tif 000006
【図５】
2015058460.tif 000007
【図６】
2015058460.tif 000008